【手続補正書】
【提出日】平成23年7月22日(2011.7.22)
【手続補正１】
【補正対象書類名】特許請求の範囲
【補正対象項目名】全文
【補正方法】変更
【補正の内容】
【特許請求の範囲】
【請求項１】
ＱＴＬの対応する組における対立遺伝子の組を含むトウモロコシ植物であって、前記ＱＴＬの各々が、穀粒収量の表現形の形質に寄与し、ここに、該対立遺伝子は、受入番号ＮＣＩＭＢ  ４１５７７で寄託されている株ＮＰ１９０２、受入番号ＮＣＩＭＢ  ４１５７６で寄託されている株ＮＰ１９４１、および受入番号ＮＣＩＭＢ  ４１５７８で寄託されている株ＮＰＮＷ０３５１からなる群から選択されるＺｅａ  ｍａｙｓ株に存在する対立遺伝子の組から由来することができ、該対立遺伝子の組は、特に、表Ｊに示される対立遺伝子の組から由来することができる、トウモロコシ植物。
【請求項２】
少なくとも１３個のＱＴＬの対応する組における好ましい対立遺伝子の組を含む核ゲノムを含む、請求項１記載のトウモロコシ植物であって、前記ＱＴＬの各々が、穀粒収量の表現形の形質に寄与するものである、トウモロコシ植物。
【請求項３】
トウモロコシ植物が、受入番号ＮＣＩＭＢ  ４１５７７で寄託されているＺｅａ  ｍａｙｓ株ＮＰ１９０２または受入番号ＮＣＩＭＢ  ４１５７６で寄託されているＺｅａ  ｍａｙｓ株ＮＰ１９４１の対立遺伝子におけるＱＴＬ組成を有するものである、請求項２記載のトウモロコシ植物。
【請求項４】
対応する１４個のＱＴＬにおける好ましい対立遺伝子の完全な組を含む、請求項１記載のトウモロコシ植物。
【請求項５】
トウモロコシ植物が、穀粒収量に関して、受入番号ＮＣＩＭＢ  ４１５７８で寄託されているＺｅａ  ｍａｙｓ株ＮＰＮＷ０３５１の対立遺伝子におけるＱＴＬ組成を有するものである、請求項４記載のトウモロコシ植物。
【請求項６】
ＱＴＬの対応する組における対立遺伝子の組を含むトウモロコシ植物であって、前記ＱＴＬの各々が、穀粒水分の表現形の形質に寄与し、ここに、該対立遺伝子は、受入番号ＮＣＩＭＢ  ４１５７７で寄託されている株ＮＰ１９０２、受入番号ＮＣＩＭＢ  ４１５７６で寄託されている株ＮＰ１９４１、および受入番号ＮＣＩＭＢ  ４１５７８で寄託されている株ＮＰＮＷ０３５１からなる群から選択されるＺｅａ  ｍａｙｓ株に存在する対立遺伝子の組から由来することができ、該対立遺伝子の組は、特に、表Ｊに示される対立遺伝子の組から由来することができる、トウモロコシ植物。
【請求項７】
少なくとも７個のＱＴＬの対応する組における好ましい対立遺伝子の組を含む核ゲノムを含む、請求項６記載のトウモロコシ植物であって、前記ＱＴＬの各々が、収穫時の穀粒水分の表現形の形質に寄与するものである、トウモロコシ植物。
【請求項８】
少なくとも９個のＱＴＬの対応する組における好ましい対立遺伝子の組を含む核ゲノムを含む、請求項６記載のトウモロコシ植物であって、前記ＱＴＬの各々が、収穫時の穀粒水分の表現形の形質に寄与するものである、トウモロコシ植物。
【請求項９】
トウモロコシ植物が、受入番号ＮＣＩＭＢ  ４１５７８で寄託されているＺｅａ  ｍａｙｓ株ＮＰＮＷ０３５１、または受入番号ＮＣＩＭＢ  ４１５７７で寄託されているＺｅａ  ｍａｙｓ株ＮＰ１９０２の対立遺伝子におけるＱＴＬ組成を有するものである、請求項８記載のトウモロコシ植物。
【請求項１０】
少なくとも１０個のＱＴＬの対応する組における好ましい対立遺伝子の組を含む核ゲノムを含む、請求項６記載のトウモロコシ植物であって、前記ＱＴＬの各々が、収穫時の穀粒水分の表現形の形質に寄与するものである、トウモロコシ植物。
【請求項１１】
トウモロコシ植物が、穀粒水分に関して、受入番号ＮＣＩＭＢ  ４１５７６で寄託されているＺｅａ  ｍａｙｓ株ＮＰ１９４１の対立遺伝子におけるＱＴＬ組成を有するものである、請求項１０記載のトウモロコシ植物。
【請求項１２】
トウモロコシ植物が、穀粒収量および穀粒水分それぞれに関して、受入番号ＮＣＩＭＢ  ４１５７７で寄託されており、表Ｊに示されるＺｅａ  ｍａｙｓ株ＮＰ１９０２の対立遺伝子のＱＴＬ組成を有するものである、請求項１０記載のトウモロコシ植物。
【請求項１３】
前記植物が、各遺伝子座における最も好ましい対立遺伝子の少なくとも１つのコピーを有するものである、請求項１〜１２のいずれか１項記載のトウモロコシ植物。
【請求項１４】
前記植物が近交株である、請求項１〜１３のいずれか１項記載のトウモロコシ植物。
【請求項１５】
前記植物が交雑株である、請求項１〜１４のいずれか１項記載のトウモロコシ植物。
【請求項１６】
単一交配Ｆ１交雑株である、請求項１５記載のトウモロコシ植物。
【請求項１７】
請求項１〜１６のいずれか１項記載の植物から得ることができる、植物部分、植物種子、および加工されたトウモロコシ産物、特に、トウモロコシ粒および穀粒を含む植物材料であって、ここに、該植物材料はＱＴＬの対応する組における対立遺伝子の組を含んでおり、前記ＱＴＬの各々が、穀粒収量の表現形の形質に寄与し、ここに、該対立遺伝子は、受入番号ＮＣＩＭＢ  ４１５７７で寄託されている株ＮＰ１９０２、受入番号ＮＣＩＭＢ  ４１５７６で寄託されている株ＮＰ１９４１、および受入番号ＮＣＩＭＢ  ４１５７８で寄託されている株ＮＰＮＷ０３５１からなる群から選択されるＺｅａ  ｍａｙｓ株に存在する対立遺伝子の組から由来することができ、該対立遺伝子の組は、特に、表Ｊに示される対立遺伝子の組から由来することができる、植物材料。
【請求項１８】
請求項１〜１７のいずれか１項記載の植物から得ることができる、加工されたトウモロコシ、粒および穀粒であって、ここに、該加工されたトウモロコシ、粒および穀粒はＱＴＬの対応する組における対立遺伝子の組を含んでおり、前記ＱＴＬの各々が、穀粒収量の表現形の形質に寄与し、ここに、該対立遺伝子は、受入番号ＮＣＩＭＢ  ４１５７７で寄託されている株ＮＰ１９０２、受入番号ＮＣＩＭＢ  ４１５７６で寄託されている株ＮＰ１９４１、および受入番号ＮＣＩＭＢ  ４１５７８で寄託されている株ＮＰＮＷ０３５１からなる群から選択されるＺｅａ  ｍａｙｓ株に存在する対立遺伝子の組から由来することができ、該対立遺伝子の組は、特に、表Ｊに示される対立遺伝子の組から由来することができる、加工されたトウモロコシ、粒および穀粒。
【請求項１９】
ａ）少なくとも１つが請求項１〜１８のいずれか１項記載の植物である２つまたはそれ以上の親植物を交配させる工程；
ｂ）ａ）で作成された交配の子孫を、
ｉ．子孫植物から植物材料を得、前記材料からＤＮＡを抽出する工程；
ｉｉ．工程ｉ）で得られるＤＮＡサンプルを、ＰＣＲ増幅反応において請求項３２から３５のいずれか１項記載のマーカーの組を用いることにより対応するＱＴＬに遺伝学的に連結されたマーカー遺伝子座に存在する対立遺伝子の変異を調べることにより解析する工程；
ｉｉｉ．工程ｉｉ）で得られるＰＣＲ増幅産物の分子量および／またはヌクレオチド配列を調べることによりマーカー対立遺伝子を同定する工程
により、親植物のうちの少なくとも１つに由来するＱＴＬの対応する組における最も好ましい対立遺伝子の全ての組をゲノム中に有する植物について、スクリーニングする工程；
ｃ）工程ｉｉｉ）により調べられたＰＣＲ増幅産物の分子量および／またはヌクレオチド配列を、工程ｉｉ）で用いられたプライマーペアの同一の組を用いるＰＣＲ反応において受入番号ＮＣＩＭＢ  ４１５７７で寄託されている株ＮＰ１９０２；受入番号ＮＣＩＭＢ  ４１５７６で寄託されている株ＮＰ１９４１、および受入番号ＮＣＩＭＢ  ４１５７８で寄託されている株ＮＰＮＷ０３５１からなる群から選択される近交株から得られる対応するＰＣＲ増幅産物の分子量および／またはヌクレオチド配列と比較し、次いで実質的に同一な分子量および／またはヌクレオチド配列を有するこれらのＰＣＲ産物を同定する工程、
ｄ）マーカー解析のデータを用いて所望のプロファイルを有する植物を同定し、選択する工程
を含む植物を産生する方法。
【請求項２０】
工程ａ）において、親植物の１つが、受入番号ＮＣＩＭＢ  ４１５７７で寄託されている株ＮＰ１９０２；受入番号ＮＣＩＭＢ  ４１５７６で寄託されている株ＮＰ１９４１、および受入番号ＮＣＩＭＢ  ４１５７８で寄託されている株ＮＰＮＷ０３５１からなる群から選択されるトウモロコシ近交株により示される遺伝学的バックグラウンドを有する植物である、請求項１９記載の方法。
【請求項２１】
前記近交株が、雄性の親として用いられる、請求項１９記載の方法。
【請求項２２】
交雑株を産生するための、請求項１〜２１のいずれか１項記載の方法。
【請求項２３】
請求項１９〜２２のいずれか１項記載の方法により産生される、交雑植物。